(57)【特許請求の範囲】
【請求項１】
記憶手段としての人タグ記憶手段と通信手段としての人タグ通信手段とを備え、被看視者に携帯される人タグと、
記憶手段としての物タグ記憶手段と通信手段としての物タグ通信手段とを備え、物体に添付される物タグと、
被看視者の移動可能な所定領域に配置され、前記人タグからの送信を受信可能であるとともに受信した情報を他に送信可能な通信装置と、
該通信装置が送信する情報を受信可能な情報受信手段と、該情報受信手段により入手した情報を分析する演算手段と、情報を記憶する情報記憶手段と、外部と通信可能な外部通信手段とを備えたコンピュータと、
前記コンピュータから送信される情報を受信し提示可能な情報端末とを備え、
前記物タグは、前記人タグと通信する際は、前記物タグ自身の個体を識別する識別情報を送信情報に含めて送信し、
前記人タグは、前記物タグおよび前記通信装置と通信する際は、前記人タグ自身の個体を識別する識別情報を送信情報に含めて送信し、
前記物タグと前記人タグとの間の通信可能距離は、第１所定距離内に制限され、前記通信装置の前記人タグからの送信を受信可能な距離は、前記第１所定距離よりも長い第２所定距離内に制限され、
前記人タグは前記物タグとの通信が可能となったとき、該通信可能となった相手の物タグの識別情報、通信可能開始時間、通信可能終了時間を認識できるタグ情報を、前記通信装置に送信し、
前記通信装置は、前記人タグから前記タグ情報を受信したとき、受信した前記タグ情報を前記コンピュータの情報受信手段に送信し、
前記コンピュータの演算手段は、前記コンピュータの情報受信手段が前記通信装置からの前記タグ情報を入手し、前記人タグと前記物タグとの通信が可能となった旨の情報を入手したとき、
当該通信が可能となったときから当該通信が不可能となったときまで当該通信可能となった人タグを携帯する被看視者が当該通信可能となった物タグを添付された物体を使用しているものと推定し、かつ、
当該通信が可能となったときから当該通信が不可能となったときまで当該通信が可能となった旨の情報を送信した通信装置より前記第２所定距離内に、当該通信可能となった人タグを携帯する被看視者が位置しているものと推定し、
前記コンピュータの情報記憶手段は、前記コンピュータの演算手段が推定した前記人タグを携帯する被看視者による物体使用履歴を含む被看視者の行動履歴を記憶し、
前記コンピュータの演算手段は、前記コンピュータの情報記憶手段に記憶された被看視者の行動履歴に基づいて、或る第１の行動の後連続して他の第２の行動が行なわれる行動パターンの傾向を抽出する抽出手段を含み、
前記コンピュータの演算手段は、被看視者が前記第１の行動の後に前記第２の行動を行なっていないと推定される場合に、被看視者の推定行動が前記抽出手段により抽出された前記行動パターンの傾向と異なる異常状態と判定し、
前記コンピュータは、前記コンピュータの演算手段が前記異常状態と判定したときに、前記第１の行動に続き前記第２の行動を行なうよう促す情報を、前記情報端末に提示する情報提示手段をさらに備えていることを特徴とする、行動看視システム。
【請求項２】
前記通信装置は、前記物タグからの送信をも受信可能であり、
前記物タグは、前記通信装置に送信する際にも、前記物タグ自身の個体を識別する識別情報を送信情報に含めて送信し、
前記通信装置の前記物タグからの送信を受信可能な距離も、前記第２所定距離内に制限され、
前記コンピュータの演算手段は、
前記通信装置が前記物タグからの送信を受信可能か否かを判断し、物体位置を検出する物体位置検出手段を、さらに備え、
該物体位置検出手段が受信可能と判断した物タグの識別情報、受信可能開始時間、受信可能終了時間を認識できる物タグ情報を入手したとき、該受信可能開始時間から、該受信可能終了時間まで該受信可能となった物タグを添付された物体が、該受信が可能となった通信装置より前記第２所定距離内に位置しているものと推定し、
前記コンピュータの情報記憶手段は、前記コンピュータの演算手段が推定した該受信可能となった物タグを添付された物体の位置情報をも記憶し、
前記コンピュータの情報提示手段は、前記コンピュータの情報記憶手段に記憶された前記物タグを添付された物体の位置情報をも提示可能であることを特徴とする、請求項１に記載の行動看視システム。
【請求項３】
前記通信装置は、前記物タグからの送信をも受信可能であり、
前記物タグは、前記通信装置に送信する際にも、前記物タグ自身の個体を識別する識別情報を送信情報に含めて送信し、
前記通信装置の前記物タグからの送信を受信可能な距離も、前記第２所定距離内に制限され、
前記コンピュータの演算手段は、
前記通信装置が前記物タグからの送信を受信可能か否かを判断し、物体位置を検出する物体位置検出手段を、さらに備え、
該物体位置検出手段が受信可能と判断した物タグの識別情報、受信可能開始時間、受信可能終了時間を認識できる物タグ情報を入手したとき、該受信可能開始時間から、該受信可能終了時間まで該受信可能となった物タグを添付された物体が、該受信が可能となった通信装置より前記第２所定距離内に位置しているものと推定し、
前記コンピュータの情報記憶手段は、前記コンピュータの演算手段が推定した該受信可能となった物タグを添付された物体の位置情報をも記憶し、
前記情報端末は、
ユーザによる物体位置の検索指示を受付ける受付手段と、
前記検索指示が受付けられた被検索物体の物体識別情報を前記コンピュータに送信する送信手段とをさらに備え、
前記コンピュータの演算手段は、前記コンピュータの情報記憶手段に記憶されている物体の位置情報を用いて前記情報端末から送信された物体識別情報の被検索物体の位置を検出する位置検出手段をさらに備え、
前記コンピュータの情報提示手段は、前記位置検出手段が検出した被検索物体の位置情報をも前記情報端末に提示可能であることを特徴とする、請求項１に記載の行動看視システム。
【発明の詳細な説明】
【０００１】
【発明の属する技術分野】
この発明は、被看視者として高齢者を想定し、家庭用サーバが、外部のネットワークと接続されており、電子メールサーバ、ウェブサーバなどの外部の情報資源と接続することが可能である行動看視システムに関する。
【０００２】
【従来の技術】
近年、人に有益な情報を提供するためのシステムが開発されている。特開２００１−７５９７７には、場所ごとに人に提示するための情報を予め記憶しておき、人がその場所にいることが検出されると、予め記憶された情報が報知される技術が記載されている。この技術によれば、人と場所とに関連する情報が予め記憶されているので、人がその場所にいることが検出されると、人とその場所とに関連する情報を提示する。このため、日常生活関係のこまごました情報をタイミング良く知らせることができる。
【０００３】
また、ユーザが検索した内容からユーザが嗜好する情報の種類を抽出したものをデータ化し、ユーザに応じて適切な分類の情報を表示する技術が、特開平１１−２１２９９６号公報に記載されている。
【０００４】
【発明が解決しようとする課題】
しかしながら、特開２００１−７５９７７に記載の技術は、提供する情報と場所とを予め記憶しておかなければならない。このため、予め記憶していない情報を提示することはできないといった問題がある。
【０００５】
また、特開平１１−２１２９９６号公報に記載の技術は、ユーザより検索要求があった時点で提示する情報の選択を行なうものであり、ユーザからの検索要求があって初めてその要求に応じた情報を提示する。このため、提示する情報が新たに生成されることはない。
【０００６】
この発明は上述の問題点を解決するためになされたもので、この発明の目的は、ユーザに対して必要な情報を必要なタイミングで提示することが可能な行動看視システムを提供することである。
【０００９】
【課題を解決するための手段】
上述の目的を達成するためにこの発明のある局面によれば、行動看視システムは、記憶手段としての人タグ記憶手段と通信手段としての人タグ通信手段とを備え、被看視者に携帯される人タグと、
記憶手段としての物タグ記憶手段と通信手段としての物タグ通信手段とを備え、物体に添付される物タグと、
被看視者の移動可能な所定領域に配置され、前記人タグからの送信を受信可能であるとともに受信した情報を他に送信可能な通信装置と、
該通信装置が送信する情報を受信可能な情報受信手段と、該情報受信手段により入手した情報を分析する演算手段と、情報を記憶する情報記憶手段と、外部と通信可能な外部通信手段とを備えたコンピュータと、
前記コンピュータから送信される情報を受信し提示可能な情報端末とを備え、
前記物タグは、前記人タグと通信する際は、前記物タグ自身の個体を識別する識別情報を送信情報に含めて送信し、
前記人タグは、前記物タグおよび前記通信装置と通信する際は、前記人タグ自身の個体を識別する識別情報を送信情報に含めて送信し、
前記物タグと前記人タグとの間の通信可能距離は、第１所定距離内に制限され、前記通信装置の前記人タグからの送信を受信可能な距離は、前記第１所定距離よりも長い第２所定距離内に制限され、
前記人タグは前記物タグとの通信が可能となったとき、該通信可能となった相手の物タグの識別情報、通信可能開始時間、通信可能終了時間を認識できるタグ情報を、前記通信装置に送信し、
前記通信装置は、前記人タグから前記タグ情報を受信したとき、受信した前記タグ情報を前記コンピュータの情報受信手段に送信し、
前記コンピュータの演算手段は、前記コンピュータの情報受信手段が前記通信装置からの前記タグ情報を入手し、前記人タグと前記物タグとの通信が可能となった旨の情報を入手したとき、
当該通信が可能となったときから当該通信が不可能となったときまで当該通信可能となった人タグを携帯する被看視者が当該通信可能となった物タグを添付された物体を使用しているものと推定し、かつ、
当該通信が可能となったときから当該通信が不可能となったときまで当該通信が可能となった旨の情報を送信した通信装置より前記第２所定距離内に、当該通信可能となった人タグを携帯する被看視者が位置しているものと推定し、
前記コンピュータの情報記憶手段は、前記コンピュータの演算手段が推定した前記人タグを携帯する被看視者による物体使用履歴を含む被看視者の行動履歴を記憶し、
前記コンピュータの演算手段は、前記コンピュータの情報記憶手段に記憶された被看視者の行動履歴に基づいて、或る第１の行動の後連続して他の第２の行動が行なわれる行動パターンの傾向を抽出する抽出手段を含み、
前記コンピュータの演算手段は、被看視者が前記第１の行動の後に前記第２の行動を行なっていないと推定される場合に、被看視者の推定行動が前記抽出手段により抽出された前記行動パターンの傾向と異なる異常状態と判定し、
前記コンピュータは、前記コンピュータの演算手段が前記異常状態と判定したときに、前記第１の行動に続き前記第２の行動を行なうよう促す情報を、前記情報端末に提示する情報提示手段をさらに備えていることを特徴とする。
【００１０】
行動看視システムは下記の作用を有する。被看視者に携帯される人タグは、記憶手段としての人タグ記憶手段と通信手段としての人タグ通信手段とを備える。物体に添付される物タグは、記憶手段としての物タグ記憶手段と通信手段としての物タグ通信手段とを備える。被看視者の移動可能な所定領域に配置される通信装置は、人タグからの送信を受信可能であるとともに受信した情報を他に送信可能である。コンピュータは、通信装置が送信する情報を受信可能な情報受信手段と、情報受信手段により入手した情報を分析する演算手段と、情報を記憶する情報記憶手段と、外部と通信可能な外部通信手段とを備える。また、コンピュータから送信される情報を受信し提示可能な情報端末を備える。物タグは、人タグと通信する際は、物タグ自身の個体を識別する識別情報を送信情報に含めて送信する。人タグは、物タグおよび通信装置と通信する際は、人タグ自身の個体を識別する識別情報を送信情報に含めて送信する。物タグと人タグとの間の通信可能距離は、第１所定距離内に制限される。通信装置の人タグからの送信を受信可能な距離は、第１所定距離よりも長い第２所定距離内に制限される。人タグは物タグとの通信が可能となったとき、通信可能となった相手の物タグの識別情報、通信可能開始時間、通信可能終了時間を認識できるタグ情報を、通信装置に送信する。通信装置は、人タグからタグ情報を受信したとき、受信したタグ情報をコンピュータの情報受信手段に送信する。コンピュータの演算手段は、コンピュータの情報受信手段が通信装置からのタグ情報を入手し、人タグと物タグとの通信が可能となった旨の情報を入手したとき、通信が可能となったときから通信が不可能となったときまで通信可能となった人タグを携帯する被看視者が通信可能となった物タグを添付された物体を使用しているものと推定する。また、通信が可能となったときから通信が不可能となったときまで通信が可能となった旨の情報を送信した通信装置より第２所定距離内に、当該通信可能となった人タグを携帯する被看視者が位置しているものと推定する。コンピュータの情報記憶手段は、コンピュータの演算手段が推定した人タグを携帯する被看視者による物体使用履歴を含む被看視者の行動履歴を記憶する。コンピュータの演算手段は、コンピュータの情報記憶手段に記憶された被看視者の行動履歴に基づいて、或る第１の行動の後連続して他の第２の行動が行なわれる行動パターンの傾向を抽出する抽出手段を含む。コンピュータの演算手段は、被看視者が第１の行動の後に第２の行動を行なっていないと推定される場合に、被看視者の推定行動が抽出手段により抽出された行動パターンの傾向と異なる異常状態と判定する。コンピュータは、コンピュータの演算手段が異常状態と判定したときに、第１の行動に続き第２の行動を行なうよう促す情報を、情報端末に提示する情報提示手段をさらに備えている。
この発明に従えば、被看視者と物品との相対的な位置関係を用いて被看視者の行動が推定され、推定された被看視者による物体使用履歴を含む被看視者の行動が行動履歴として記憶される。そして、記憶された行動履歴に基づいて、或る第１の行動の後連続して他の第２の行動が行なわれる行動パターンの傾向が抽出される。被看視者が第１の行動の後に第２の行動を行なっていないと推定される場合に、第１の行動に続き第２の行動を行なうよう促す情報が提示される。このため、被看視者が第２の行動を行なわないときに該行動を促す情報を提供することが可能な行動看視システムを提供することができる。
【００１３】
好ましくは、行動看視システムは上記の構成に加え、下記の構成を備える。
前記通信装置は、前記物タグからの送信をも受信可能であり、
前記物タグは、前記通信装置に送信する際にも、前記物タグ自身の個体を識別する識別情報を送信情報に含めて送信し、
前記通信装置の前記物タグからの送信を受信可能な距離も、前記第２所定距離内に制限され、
前記コンピュータの演算手段は、
前記通信装置が前記物タグからの送信を受信可能か否かを判断し、物体位置を検出する物体位置検出手段を、さらに備え、
該物体位置検出手段が受信可能と判断した物タグの識別情報、受信可能開始時間、受信可能終了時間を認識できる物タグ情報を入手したとき、該受信可能開始時間から、該受信可能終了時間まで該受信可能となった物タグを添付された物体が、該受信が可能となった通信装置より前記第２所定距離内に位置しているものと推定し、
前記コンピュータの情報記憶手段は、前記コンピュータの演算手段が推定した該受信可能となった物タグを添付された物体の位置情報をも記憶し、
前記コンピュータの情報提示手段は、前記コンピュータの情報記憶手段に記憶された前記物タグを添付された物体の位置情報をも提示可能であることを特徴とする。
【００１４】
この発明に従えば、行動看視システムは上記の作用に加え、下記の作用を有する。通信装置は、物タグからの送信をも受信可能である。物タグは、通信装置に送信する際にも、物タグ自身の個体を識別する識別情報を送信情報に含めて送信する。通信装置の物タグからの送信を受信可能な距離も、第２所定距離内に制限される。コンピュータの演算手段がさらに備える物体位置検出手段の働きにより、通信装置が物タグからの送信を受信可能か否かが判断され、物体位置が検出される。コンピュータの演算手段の働きにより、物体位置検出手段により受信可能と判断された物タグの識別情報、受信可能開始時間、受信可能終了時間を認識できる物タグ情報が入手されたとき、受信可能開始時間から、受信可能終了時間まで受信可能となった物タグを添付された物体が、受信が可能となった通信装置より第２所定距離内に位置しているものと推定される。コンピュータの情報記憶手段の働きにより、コンピュータの演算手段が推定した受信可能となった物タグを添付された物体の位置情報が記憶される。コンピュータの情報提示手段の働きにより、コンピュータの情報記憶手段に記憶された物タグを添付された物体の位置情報が提示可能となる。
【００１５】
好ましくは、行動看視システムは上記の構成に加え、下記の構成を備える。
前記通信装置は、前記物タグからの送信をも受信可能であり、
前記物タグは、前記通信装置に送信する際にも、前記物タグ自身の個体を識別する識別情報を送信情報に含めて送信し、
前記通信装置の前記物タグからの送信を受信可能な距離も、前記第２所定距離内に制限され、
前記コンピュータの演算手段は、
前記通信装置が前記物タグからの送信を受信可能か否かを判断し、物体位置を検出する物体位置検出手段を、さらに備え、
該物体位置検出手段が受信可能と判断した物タグの識別情報、受信可能開始時間、受信可能終了時間を認識できる物タグ情報を入手したとき、該受信可能開始時間から、該受信可能終了時間まで該受信可能となった物タグを添付された物体が、該受信が可能となった通信装置より前記第２所定距離内に位置しているものと推定し、
前記コンピュータの情報記憶手段は、前記コンピュータの演算手段が推定した該受信可能となった物タグを添付された物体の位置情報をも記憶し、
前記情報端末は、
ユーザによる物体位置の検索指示を受付ける受付手段と、
前記検索指示が受付けられた被検索物体の物体識別情報を前記コンピュータに送信する送信手段とをさらに備え、
前記コンピュータの演算手段は、前記コンピュータの情報記憶手段に記憶されている物体の位置情報を用いて前記情報端末から送信された物体識別情報の被検索物体の位置を検出する位置検出手段をさらに備え、
前記コンピュータの情報提示手段は、前記位置検出手段が検出した被検索物体の位置情報をも前記情報端末に提示可能であることを特徴とする。
【００１６】
この発明に従えば、行動看視システムは上記の作用に加え、下記の作用を有する。通信装置は、物タグからの送信をも受信可能である。物タグは、通信装置に送信する際にも、物タグ自身の個体を識別する識別情報を送信情報に含めて送信する。通信装置の物タグからの送信を受信可能な距離も、第２所定距離内に制限される。コンピュータの演算手段がさらに備える物体位置検出手段の働きにより、通信装置が物タグからの送信を受信可能か否かが判断され、物体位置が検出される。コンピュータの演算手段の働きにより、物体位置検出手段により受信可能と判断された物タグの識別情報、受信可能開始時間、受信可能終了時間を認識できる物タグ情報が入手されたとき、受信可能開始時間から、受信可能終了時間まで受信可能となった物タグを添付された物体が、受信が可能となった通信装置より第２所定距離内に位置しているものと推定される。コンピュータの情報記憶手段の働きにより、コンピュータの演算手段が推定した受信可能となった物タグを添付された物体の位置情報が記憶される。情報端末がさらに備える受付手段の働きにより、ユーザによる物体位置の検索指示が受付けられる。情報端末がさらに備える送信手段の働きにより、検索指示が受付けられた被検索物体の物体識別情報がコンピュータに送信される。コンピュータの演算手段がさらに備える位置検出手段の働きにより、コンピュータの情報記憶手段に記憶されている物体の位置情報を用いて情報端末から送信された物体識別情報の被検索物体の位置が検出される。コンピュータの情報提示手段は、位置検出手段が検出した被検索物体の位置情報をも情報端末に提示可能である。
【００２３】
【発明の実施の形態】
以下、本発明の実施の形態について図面を参照して説明する。なお、図中同一符号は同一または相当する部材を示し、重複する説明は繰返さない。
【００２４】
図１は、本発明の実施の形態の１つにおける情報提示システムの概略を示す図である。図１を参照して、情報提示システムは、家庭に設置される家庭用サーバ１００と、家庭用サーバ１００に接続され、必要な情報を表示するための表示部１０１と、情報端末１０３，１０６と、通信機１０８，１０９と、物品１０２，１０４，１０５，１０７に添付された物品タグ１１２，１１４，１１５，１１７と、ユーザ１１０の胸に付けられたユーザ用タグ１１８とを含む。
【００２５】
本実施の形態における情報提示システムは、１つの家庭に設置される場合を例に説明する。ここでは、ユーザ１１０として高齢者を想定している。
【００２６】
家庭内の部屋１には、家庭用サーバ１００と、家庭用サーバ１００に接続された表示部１０１と、通信機１０８と、情報端末１０３とが設置される。通信機１０８と表示部１０１と情報端末１０３とは、家庭用サーバ１００に接続されている。情報端末１０３は、液晶表示装置または陰極線管（ＣＲＴ）とで構成される表示部と、タッチパネルまたはキーボード等からなる入力装置と、スピーカ等の音声出力装置とを含む。
【００２７】
情報端末１０３の入力部より入力された情報は、家庭用サーバ１００に送信される。また、情報端末１０３の表示部または音声出力装置に出力する情報は、家庭用サーバ１００より送信され、家庭用サーバ１００の制御の下で出力される。
【００２８】
部屋１内には、物品として薬ビン１０５と、眼鏡１０７とが置かれている。薬ビン１０５と眼鏡１０７とには、それぞれに物品タグ１１５，１１７が添付されている。また、表示部１０１、情報端末１０３およびドア１０２それぞれに、物品タグ１１１，１１３，１１２が付されている。
【００２９】
一方、部屋２には、通信機１０９と、情報端末１０６とが設置されている。情報端末１０６と通信機１０９とは、家庭用サーバ１００に接続されている。また、ドア１０４と情報端末１０６とには、それぞれ物品タグ１１４，１１６が付されている。
【００３０】
また、ユーザ１１０の胸の部分にユーザ用タグ１１８が取付けられている。以下、説明のため、表示部１０１、情報端末１０３，１０６、ドア１０２，１０４、薬ビン１０５および眼鏡１０７を、単に物品１０１〜１０７と呼ぶ場合がある。
【００３１】
ユーザ用タグ１１８と物品タグ１１１〜１１７とは、双方向に赤外線通信を行なうための発光部および受光部を含む。また、ユーザ用タグ１１８と物品タグ１１１〜１１７とは、情報通信を処理するための演算部と、識別情報や通信内容等を記録したりするためメモリ部を含む。
【００３２】
ユーザ用タグ１１８のメモリ部には、ユーザのユーザＩＤが記憶されている。ユーザＩＤは、ユーザを識別するために予め定義された識別番号である。
【００３３】
また、物品１０１〜１０７に付された物品タグ１１１〜１１７のメモリ部には、物品ＩＤが記憶されている。物品ＩＤは、物品を識別するために予め定義された識別番号である。
【００３４】
物品１０１〜１０７に付された物品タグ１１１〜１１７と、ユーザ用タグ１１８との間で行われる赤外線を用いた通信は、通信する双方のタグ間で所定の距離の範囲内でしか通信できないように設定されている。これにより、２つのタグ間で通信が成立した場合には、その２つのタグが所定の距離の範囲内にあることを意味する。
【００３５】
通信機１０８，１０９は、物品タグ１１１〜１１７およびユーザ用タグ１１８との間で、赤外線を用いた赤外線通信が可能である。物品タグ１１１〜１１７およびユーザ用タグ１１８に比べて、通信機１０８の赤外線受光部は受光感度がよく、赤外線発光部の出力が大きい。このため、通信機１０８，１０９と、物品タグ１１１〜１１７またはユーザ用タグ１１８との間の距離が、所定の距離よりも離れている場合であっても、通信することが可能となっている。したがって、通信機１０８は、ユーザ用タグ１１８または物品タグ１１１〜１１３，１１５，１１７が部屋１内にある限り、ユーザ用タグ１１８または物品タグ１１１〜１１３，１１５，１１７と通信することができる。同様に通信機１０９は、ユーザ用タグ１１８または物品タグ１１４，１１６が部屋２内にある限り、ユーザ用タグ１１８または物品タグ１１４，１１６と通信することができる。
【００３６】
なお、ここでは赤外線通信を例に説明するが、赤外線通信には、たとえばＩｒＤＡを用いた通信を用いることができる。また、赤外線通信に限らず、ユーザ１１０と物品１０１〜１０７それぞれの位置を検出することが可能であれば、他のセンサを用いるようにしてもよい。
【００３７】
ユーザ用タグ１１８は、通信機１０８，１０９と通信する際に通信機１０８，１０９にユーザＩＤを送信する。これにより、通信機１０８，１０９では、どのユーザのユーザ用タグ１１８と通信しているかを認識することができる。
【００３８】
物品タグ１１１〜１１７は、ユーザ用タグ１１８または通信機１０８，１０９と通信する際に物品ＩＤを送信する。これにより、ユーザ用タグ１１８または通信機１０８，１０９は、どの物品タグ１１１〜１１７と通信しているかを検出することができる。
【００３９】
このように構成してなる情報提示システムにおいては、通信機１０８が、ユーザ用タグ１１８と通信が可能な場合に、ユーザ１１０が部屋１にいることを検出することができる。通信機１０９がユーザ用タグ１１８と通信が可能な場合には、ユーザ１１０が部屋２にいることを検出することができる。さらに、通信機１０８が、物品に付された物品タグ１１５，１１７と通信が可能な場合には、薬ビン１０５と眼鏡１０７とが、部屋１にあることを検出することができる。通信機１０９で薬ビン１０５に付された物品タグ１１５と通信が可能であれば、薬ビン１０５は部屋２にあることが検出されることになる。
【００４０】
一方、ユーザ用タグ１１８は、物品に付された物品タグ１１１〜１１７との間で通信が可能な場合には、通信している物品タグ１１１〜１１７より物品ＩＤを受信して、通信機１０８，１０９に送信する。通信機１０８，１０９では、受信した物品ＩＤとユーザ用タグ１１８に付されたユーザＩＤとを家庭用サーバ１００に送信する。これにより、家庭用サーバ１００では、ユーザ１１０とある物品との間の距離が所定の距離以内であることを検出することができる。
【００４１】
この場合、ユーザ用タグ１１８が通信している物品タグが、部屋１内の所定の場所に固定された物品に物品に付された物品タグである場合、ユーザ１１０のより詳細な位置情報をえることができる。たとえば、ユーザ用タグ１１８が、部屋１内に固定された情報端末１０３に付された物品タグ１１３と通信が可能となった場合には、ユーザ用タグ１１８より情報端末１０３の物品ＩＤが物品タグ１１３より通信機１０８を介して家庭用サーバ１００に送信される。これにより、家庭用サーバ１００では、ユーザ１１０が、情報端末１０３の近くにいることを検出することができる。情報端末１０３の詳細な位置が予め記憶されているので、ユーザ１１０の部屋１内のより詳細な位置を検出することができる。
【００４２】
また、ユーザ１１０と所定の物品との間の距離が近いということは、ユーザ１１０がその物品を使用していると推定される。このため、たとえば、ユーザ用タグ１１８が、眼鏡１０７に付された物品タグ１１７との間で通信が可能である間は、ユーザ１１０が眼鏡１０７をかけていると推定することができる。
【００４３】
家庭用サーバ１００は、記録媒体１５０に記録されたプログラムを読込み、実行することができる。プログラムとは、中央演算装置（ＣＰＵ）により直接実行可能なプログラムだけでなく、ソースプログラム形式のプログラム、圧縮処理されたプログラム、暗号化されたプログラム等を含む概念である。
【００４４】
記録媒体１５０としては、磁気テープ、カセットテープ、磁気ディスク（フレキシブルディスク、ハードディスク等）、光ディスク（ＣＤ−ＲＯＭ／ＭＯ／ＭＤ／ＤＶＤ等）、ＩＣカード（メモリカードを含む）、光カード、マスクＲＯＭ、ＥＰＲＯＭ、ＥＥＰＲＯＭ、フラッシュメモリなどの半導体メモリ等の固定的にプログラムを担持する媒体である。また、記録媒体１５０に代えて、ネットワークからプログラムがダウンロードされるように流動的にプログラムを担持する記録媒体とすることもできる。
【００４５】
さらに、家庭用サーバ１００は、外部のネットワークと接続されており、電子メールサーバ、ウェブサーバなどの外部の情報資源と接続することが可能である。このため家庭用サーバ１００では、外部の電子メールサーバ、ウェブサーバなどから、ユーザ１１０宛の情報を受信することができる。
【００４６】
なお、本実施の形態においては、ユーザ用タグ１１８と、物品に付された物品タグ１１１〜１１７との通信が確立した場合、すなわち、ユーザ用タグ１１８と物品に付された物品タグ１１１〜１１７との距離が所定の距離以内になった場合に、ユーザ１１０がその物品タグの付された物品を使用したことを判断している。すなわち、本実施の形態においては、ユーザ１１０と物品との間の相対的な距離が所定の距離以内にあった場合に、ユーザ１１０がその物品を使用したと判断するようにしている。
【００４７】
このように、物品の使用を判断するのには、ユーザと物品との相対的な距離を用いれば良く、この相対的な距離はユーザ用タグ１１８と物品に付された物品タグ１１１〜１１７との間の赤外線通信の可否で検出する場合に限られない。これに代えて、ユーザ１１０と物品１０１〜１０７それぞれの位置を検出して相対的な距離を求めることができれば、他の方法でユーザ１１０と物品１０１〜１０７との相対的な距離を検出するようにしてもよい。
【００４８】
図２は、本実施の形態における情報提示装置としての家庭用サーバの記憶部に記憶されるデータベースを説明するための図である。図２を参照して、家庭用サーバ１００の記憶部１２０は、使用履歴データベース（Ｄ／Ｂ）１２１と、検索履歴Ｄ／Ｂ１２２と、ユーザ位置Ｄ／Ｂ１２３と、物品位置Ｄ／Ｂ１２４とを記憶する。
【００４９】
使用履歴Ｄ／Ｂ１２１は、ユーザ１１０が物品１０１〜１０７を使用したと推定された事象を記憶する。物品の使用の推定は、ユーザ１１０と物品１０１〜１０７との距離に基づき行われる。すなわち、ユーザ１１０と物品１０１〜１０７との間の距離が所定の距離より短くなっている間、ユーザ１１０が物品を使用したと推定される。そして、距離が所定の範囲内になった時を開始時刻とし、所定の範囲を超えた時を終了時刻として、その物品に付された物品ＩＤと対応付けて記憶する。より具体的には、ユーザ１１０に付されたユーザ用タグ１１８が、物品１０１〜１０７に付された物品タグ１１１〜１１７と通信する際に、物品ＩＤを受信する。そして、通信が開始されたときの時刻を開始時刻とし、通信が終了したときの時刻を終了時刻とする。ユーザ用タグ１１８は、ユーザ用タグ１１８のメモリ部に記憶されたユーザＩＤと、受信した物品ＩＤと、通信の開始時刻および終了時刻とを通信機１０８，１０９に送信する。通信機１０８，１０９は、受信したユーザＩＤと、物品ＩＤと、開始時刻および終了時刻とを家庭用サーバ１００に送信する。家庭用サーバ１００は、受信したユーザＩＤと、物品ＩＤと、開始時刻および終了時刻とを使用履歴Ｄ／Ｂ１２１に記憶する。
【００５０】
物品位置Ｄ／Ｂ１２４は、物品１０１〜１０７の位置を記憶する。物品位置Ｄ／Ｂ１２４は、物品に付された物品ＩＤと、その位置とを記憶している。位置は、物品が、固定物でない場合には、部屋１にあるのか部屋２にあるのかが記憶される。部屋１または部屋２のいずれにあるかは、通信機１０８または通信機１０９が物品１０１〜１０７に付された物品タグ１１１〜１１７と通信が可能な場合に、いずれかの部屋にあると判断される。たとえば、薬ビン１０５に付された物品タグ１１５が、通信機１０８と通信可能な場合には、薬ビン１０５は通信機１０８が設置された部屋１にあると判断される。
【００５１】
また、物品が固定物である場合、たとえば、ドア１０２は部屋１の入り口に固定されている。ドア１０２のように空間に固定された物品の場合には、予め物品位置Ｄ／Ｂ１２４に、たとえば座標値でその位置が記憶される。
【００５２】
検索履歴Ｄ／Ｂ１２２は、ユーザ１１０が物品の位置の検索をした回数を物品ごとに記憶する。物品の位置の検索とは、物品の置き場所を忘れた場合に、物品位置Ｄ／Ｂ１２４を検索する機能をいう。ユーザ１１０が情報端末１０３を操作して物品名を入力すると、家庭用サーバ１００は、物品位置１２４を検索して、その物品がどこにあるのかを情報端末１０３より表示または音声出力する。これにより、ユーザ１１０は、検索した物品がどこにあるのかを判断することができる。この場合、物品位置Ｄ／Ｂ１２４は、物品が部屋１または部屋２にあるのかを記録していたため、その物品が部屋１にあるのかまたは部屋２にあるのかが表示または音声出力される。このように、ユーザ１１０が、情報端末１０３を操作して物品の位置を検索した場合、その物品の物品ＩＤに対応付けて検索した回数が検索履歴Ｄ／Ｂ１２２に記憶される。
【００５３】
ユーザ位置Ｄ／Ｂ１２３は、ユーザ１１０の位置を記憶する。ユーザ１１０の位置は、ユーザ１１０に付されたユーザ用タグ１１８が通信機１０８と通信可能な場合には、ユーザ１１０が部屋１にいると判断され、ユーザ用タグ１１８が通信機１０９と通信可能な場合には、ユーザ１１０が部屋２にいると判断される。ユーザ位置Ｄ／Ｂには、ユーザに付されたユーザＩＤと、部屋１または部屋２のいずれかにいるのかが対応付けられて記憶される。
【００５４】
図３は、本実施の形態における家庭用サーバ１００の機能の概略を示す機能ブロック図である。図３を参照して、家庭用サーバ１００は、家庭用サーバ１００の全体を制御するための制御部１３０と、記憶部１２０と、通信機１０８，１０９および情報端末１０３，１０６と通信するための通信部１４０とを含む。
【００５５】
記憶部１２０には、使用履歴Ｄ／Ｂ１２１、検索履歴Ｄ／Ｂ１２２、ユーザ位置Ｄ／Ｂ１２３、物品位置Ｄ／Ｂ１２４、および提示情報Ｄ／Ｂ１２５とが記憶されている。
【００５６】
制御部１３０は、ユーザ１１０と物品１０１〜１０７との間の位置関係を検出するための相対位置検出部１３１と、検出された相対位置に基づきユーザ１１０の行動を推定するための行動推定部１３２と、ユーザの位置を検出するためのユーザ位置検出部１３３と、物品の位置を検出するための物品位置検出部１３４と、時をカウントするためのタイマー１３５と、ユーザ１１０に提示する情報を作成するための提示情報作成部１３８と、イベントを検出するためのイベント検出部１３６と、提示情報を出力するための提示情報出力部１３７とを含む。
【００５７】
相対位置検出部１３１は、ユーザ用タグ１１８が、物品に付された物品タグ１１１〜１１７のいずれかと通信が可能となった旨を通信機１０８，１０９から受信することにより、ユーザ１１０と通信が可能となった物品タグが付された物品との間の距離が、所定の距離以下になったことを検出する。
【００５８】
行動推定部１３２は、相対位置検出部１３１より、ユーザ１１０と所定の距離以内となった物品の物品ＩＤを受信し、ユーザ１１０がその物品を使用していると推定する。使用履歴Ｄ／Ｂ１２１に通信が開始された時刻を開始時刻として記憶する。また、相対位置検出部１３１より、ユーザ用タグ１１８と物品タグ１１１〜１１７のいずれかとの通信が終了したことを受信すると、行動の終了時刻として使用履歴Ｄ／Ｂ１２１に記憶する。
【００５９】
また、行動推定部１３２は、情報端末１０３，１０６からユーザ１１０が物品検索の指示を入力した時点で、ユーザ１１０が物品の検索をしていると推定して、検索履歴Ｄ／Ｂ１２２へ検索した物品ごとに検索回数を１回加算する。また新規な検索の場合には、新規データを追加する。
【００６０】
行動推定部１３２で、ユーザ１１０の行動が推定された場合には、推定された行動、ここでは、物品１０１〜１０７のいずれかの使用、または、情報端末１０３，１０６を用いて物品検索した旨の信号がイベント検出部１３６に送信される。
【００６１】
ユーザ位置検出部１３３は、通信機１０８，１０９がユーザ１１０に付されたユーザ用タグ１１８との間で通信が可能となっていることを条件に、たとえば、通信機１０８がユーザ用タグ１１８と通信可能である場合には、ユーザ用タグ１１８と通信が可能である間、部屋１をユーザ位置としてユーザ位置Ｄ／Ｂ１２３に記憶する。これは、通信機１０８が、ユーザ用タグ１１８と通信が可能になった時刻を開始時刻とし、通信機１０８がユーザ用タグ１１８と通信ができなくなった時刻を終了時刻として記憶するようにしている。したがって、ユーザ位置Ｄ／Ｂ１２３には、ユーザ１１０に付されたユーザＩＤと、その部屋の番号と、通信機１０８とユーザ用タグ１１８との通信が開始された開始時刻と、通信が終了した終了時刻とが対応付けられて記憶される。ユーザ位置検出部１３３で検出されたユーザ１１０の位置は、ユーザ１１０の位置が変更したときにイベント検出部１３６に送信される。
【００６２】
物品位置検出部１３４は、通信機１０８，１０９が物品１０１〜１０７に付された物品タグ１１１〜１１７と通信可能か否かを検出する。そして、通信可能であることが検出された場合には、通信が可能となった時刻を開始時刻とし、通信が不可能となった時刻を終了時刻とする。開始時刻と終了時刻とが、物品ＩＤと関連付けられて物品位置Ｄ／Ｂ１２４に記憶される。たとえば、通信機１０８が、薬ビン１０５に付された物品タグ１１５と通信が可能になった場合には、通信を開始した開始時刻から通信を終了した通信終了時刻まで、薬ビン１０５が部屋１にあったことを検出し、物品ＩＤ、開始時刻および終了時刻を物品位置Ｄ／Ｂ１２４に記憶する。なお、物品位置Ｄ／Ｂ１２４には、ドア１０２，１０４のように空間に固定された物品の場合には、その物品の物品ＩＤに対応付けてドア１０２，１０４それぞれの座標値が対応付けられて記憶される。
【００６３】
提示情報作成部１３８は、記憶部１２０に記憶された使用履歴Ｄ／Ｂ１２１に記憶された使用履歴データ、検索履歴Ｄ／Ｂ１２２に記憶された物品検索履歴データ、ユーザ位置Ｄ／Ｂ１２３に記憶されたユーザ位置データ、および、物品位置Ｄ／Ｂ１２４に記憶された物品位置データに基づいて、ユーザに提示するため提示情報と、その提示情報を提示するタイミングとを決定し、提示情報Ｄ／Ｂ１２５に記憶する。提示情報作成部１３８で提示情報を作成し、提示するタイミングを決定する処理については後で詳しく説明する。
【００６４】
イベント検出部１３６は、タイマー１３５により計時される時刻、ユーザ位置検出部１３３により受信するユーザの位置の変化、行動推定部１３２により受信するユーザの行動の変化等のイベントを検出する。また、イベント検出部１３６は、提示情報Ｄ／Ｂ１２５に記憶された提示情報と提示タイミングとに基づき、提示情報を提示するか否かを決定する。そして提示情報を出力すると判断した場合には、提示情報出力部１３７に提示情報を送信する。
【００６５】
提示情報出力部１３７は、受信した提示情報を出力するべく、ユーザ１１０の近くにある出力装置に提示情報を出力する。この出力部は、表示部１０１，情報端末１０３，１０６のいずれかである。
【００６６】
図４は、本実施の形態における家庭用サーバ１００で実行される使用履歴および移動履歴作成処理の流れを示すフローチャートである。図４を参照して、家庭用サーバ１００の通信部１４０は、通信機１０８，１０９より信号が受信されたか否かのモニタリングを行なっている（ステップＳ０１）。そして、通信機１０８，１０９により、ユーザ１１０のユーザ用タグ１１８が物品１０１〜１０７に付された物品タグ１１１〜１１７のいずれかと通信が成立したか否かが判断される（ステップＳ０２）。通信が成立した場合にはステップＳ０３に進み、そうでない場合にはステップＳ０１に戻る。
【００６７】
ステップＳ０３では、成立した通信が、ユーザ１１０に付されたユーザ用タグ１１８と物品１０１〜１０７に付された物品タグ１１１〜１１７のいずれかとの通信であるかが判断される（ステップＳ０３）。そうである場合にはステップＳ０４に進み、そうでない場合にはステップＳ０８に進む。
【００６８】
ステップＳ０４では、成立している通信が、新規に成立した通信であるか否かが判断され、新規に成立した場合にはステップＳ０５に進み、そうでない場合にはステップＳ０６に進む。ステップＳ０５では、記憶部１２０の使用履歴Ｄ／Ｂ１２１に、通信が成立している物品に付された物品タグ１１１〜１１７のメモリ部に記憶された物品ＩＤとそのときの時刻を開始時刻として記録する。
【００６９】
そして、次のステップＳ０６では、ステップＳ０２で通信が成立したとされた通信が切断したか否かが判断される。切断した場合にはステップＳ０７に進み、そうでない場合にはステップＳ０８に進む。ステップＳ０７では、使用履歴Ｄ／Ｂ１２１に、そのときの時刻を終了時刻として記録する。これにより、ステップＳ０２で通信が成立したとされた開始時刻と終了するまでの終了時刻とが、通信が成立した物品に付された物品タグのメモリ部に記憶された物品ＩＤと対応付けて記憶される。
【００７０】
ステップＳ０８では、ステップＳ０２で成立した通信が、ユーザ用タグ１１８と通信機１０８，１０９との間の通信であるか否かが判断され、そうである場合にはステップＳ０９へ進み、そうでない場合にはステップＳ０１に進む。
【００７１】
ステップＳ０９では、ステップＳ０２で成立した通信が、新規に成立したものか否かが判断され、新規の場合にはステップＳ１０に進み、そうでない場合にはステップＳ１１に進む。
【００７２】
ステップＳ１０では、記憶部１２０のユーザ位置Ｄ／Ｂ１２３に、ユーザ１１０に付されたユーザＩＤとそのときの時刻を開始時刻として記録する。ユーザＩＤは、ユーザ用タグ１１８のメモリ部に記憶されており、通信機１０８，１０９との通信によりユーザ用タグ１１８より受信される。また、ステップＳ１０では、開始時刻に加えて、通信機１０８との通信の成立である場合には部屋１である旨が、通信機１０９との通信が成立した場合には部屋２である旨が記憶される。
【００７３】
次のステップＳ１１では、ステップＳ０２で成立した通信が切断したか否かが判断され、切断したとされた場合にはステップＳ１２へ進み、そうでない場合にはステップＳ０１に進む。ステップＳ１２では、ユーザ位置Ｄ／Ｂ１２３にそのときの時刻を終了時刻として記録する。
【００７４】
これにより、ユーザ１１０に付されたユーザ用タグ１１８と物品１０１〜１０７に付された物品タグ１１１〜１１７との通信が成立した場合には、その通信が成立したときの時刻を開始時刻とし、その通信が終了した時刻を終了時刻とし、通信された物品タグのメモリ部に記憶された物品ＩＤと対応付けられて記憶部１２０の使用履歴Ｄ／Ｂ１２１に記憶される。したがって、使用履歴Ｄ／Ｂ１２１に記憶された使用履歴データからは、いつからいつまでユーザ１１０がその物品と所定の距離の範囲内にいたか、すなわち、ユーザ１１０がその物品を使用していたかを判断することができる。
【００７５】
また、ユーザ１１０に付されたユーザ用タグ１１８と通信機１０８または通信機１０９との間の通信が成立した時刻を開始時刻とし、その通信が切断された時刻を終了時刻としてユーザ１１０のユーザＩＤと対応付けて記憶部１２０のユーザ位置Ｄ／Ｂ１２３に記憶される。これにより、ユーザ１１０が、いつからいつまで部屋１または部屋２にいたのかが記憶部１２０のユーザ位置Ｄ／Ｂ１２３に記憶されることになる。
【００７６】
図５は、本実施の形態における家庭用サーバ１００で実行される移動履歴修正処理の流れを示すフローチャートである。図５を参照して、家庭用サーバ１００では、記憶部１２０に記憶されている使用履歴Ｄ／Ｂ１２１から使用履歴データを取込む（ステップＳ２１）。そして、取込んだ使用履歴データが、固定された物品に関するデータであるか否かが判断され（ステップＳ２２）、そうである場合にはステップＳ２３に進み、そうでない場合には処理を終了する。
【００７７】
ステップＳ２３では、固定された物品の物品ＩＤを用いて物品位置Ｄ／Ｂ１２４を検索して、その物品ＩＤの物品の座標値を取込む（ステップＳ２３）。そして、ユーザ位置Ｄ／Ｂ１２３のユーザ位置データに対して、使用履歴Ｄ／Ｂ１２１で読出された使用履歴データの開始時刻から終了時刻までの間、物品位置Ｄ／Ｂ１２４の物品位置データから取込まれた座標値にいた旨が記憶される。これにより、ユーザ１１０が空間に固定された物品、たとえばドア１０２，１０４の近くにいたような場合、ユーザ位置Ｄ／Ｂ１２３のユーザ位置データが部屋１の中でもドア１０２の近くにいた旨が記憶されることになる。このように、ユーザ１１０のより詳細な位置がユーザ位置Ｄ／Ｂ１２３に記憶される（ステップＳ２４）。
【００７８】
図６は、本実施の形態における家庭用サーバ１００で実行される情報提示処理の流れを示すフローチャートである。図６を参照して、イベント検出部１３６で、イベントが発生したか否かが判断され、イベントが発生した場合に割込が発生する（ステップＳ３１）。そして、発生したイベントの種類により分岐する。発生したイベントが、物品の使用である場合にはステップＳ３８に進み、物品検索のリクエストがあった場合にはステップＳ３２へ進み、それ以外の場合にはステップＳ３５に進む。それ以外とは、たとえば、ユーザ１１０が移動した場合、タイマー１３５により計時された時刻が所定の時刻となった場合等である。
【００７９】
ステップＳ３２では、検索のリクエストのあった物品に関し、記憶部１２０の検索履歴Ｄ／Ｂ１２２が検索され、その物品が過去に何回検索されたかが取得される（ステップＳ３２）。そして、その物品について検索された回数の要求頻度が高いか否かが判断される（ステップＳ３３）。要求頻度が高いか否かは予め設定されたしきい値と比較することにより判断される。要求頻度が高いとされた場合にはステップＳ３４に進み、そうでない場合にはステップＳ３５に進む。
【００８０】
ステップＳ３４では、その物品の使用後に、その物品を置いた位置を確認するための情報提示を行なうように提示情報Ｄ／Ｂ１２５を変更する（ステップＳ３４）。提示情報Ｄ／Ｂ１２５には、イベントと提示情報とを含むデータが記憶される。イベントとは、情報を提示するためのトリガとなる事象を意味し、たとえば、所定の時刻、物品の使用の終了時、ユーザ１１０の位置が変化した時等である。これについては後で詳しく説明する。
【００８１】
ステップＳ３５では、ステップＳ３１で発生したイベントに対する処理が行なわれる。イベント処理としては、たとえば、ユーザ用タグ１１８と通信機１０８との間での通信の確立によりユーザの移動が検出された場合には、ユーザ位置Ｄ／Ｂ１２３のユーザ位置データを更新する処理などである。
【００８２】
ステップＳ３８に進む場合は、イベントが物品の使用の場合、すなわち、ユーザ１１０に付されたユーザ用タグ１１８から、ある物品の物品タグとの通信の開始が検出された場合である。ステップＳ３８では、記憶部１２０の使用履歴Ｄ／Ｂ１２１を検索する。この検索は、同じ物品を、異なる日に同じ時刻に使用しているデータが抽出されたか否かが判断される（ステップＳ３９）。異なる日で同じ時刻に同じ物品を使用しているデータがあれば、ステップＳ４０に進み、そうでないとされた場合にはステップＳ４１に進む。
【００８３】
ステップＳ４０では、抽出した時間においてその物品を使用するよう情報提示を行なうように提示情報Ｄ／Ｂ１２５を変更する。たとえば、使用履歴Ｄ／Ｂ１２１に、ほぼ同じ時刻に毎日薬ビン１０５に近づくような場合には、同じ時刻に薬を服用することが推定される。このため、提示情報Ｄ／Ｂ１２５には、その時刻に薬を服用する旨を伝えるメッセージを提示情報として記憶する。
【００８４】
ステップＳ４１では、ユーザ位置Ｄ／Ｂ１２３の検索が行なわれ、ステップＳ３９で抽出された物品の使用される時間帯に、ユーザが同じ位置にいるか否かが判断される（ステップＳ４２）。そして、物品の使用時間が同じ場所であるとされた場合には、ステップＳ４３に進み、そうでない場合にはステップＳ４４に進む。
【００８５】
ステップＳ４３では、ステップＳ４２で抽出された場所への移動をイベントの発生として、ステップＳ３９で抽出された物品の使用を促す情報を提示情報とするように提示情報Ｄ／Ｂ１２５を変更する。
【００８６】
次のステップＳ４４では、記憶部１２０に記憶された使用履歴Ｄ／Ｂ１２１の検索が行なわれる。この検索は、特定の行動情報に関連して物品を使用しているか否かが判断される（ステップＳ４５）。特定の行動に関連して物品を使用しているかは、ある物品の使用の前には必ず他の物品が使用されたか否かを判断することにより行われる。すなわち、ある物品と同じ物品の使用データであって、その物品の前に使用された物品が同じ使用データが抽出されたか否かより判断される。
【００８７】
たとえば、物品Ａの使用の前には必ず物品Ｂが使用される場合には、その物品Ｂと物品Ａとのデータが抽出される。そして、そのようなデータが抽出された場合にはステップＳ４６に進み、そうでない場合にはステップＳ３５に進む。
【００８８】
ステップＳ４６では、特定の行動情報入力が発生した後、物品使用がない場合の情報提示を行なうよう提示情報Ｄ／Ｂを変更する。これは、物品Ａの使用があった後に、物品Ｂの使用が所定時間ないことがイベントの発生とされ、物品Ｂの使用を促す情報を提示情報として、提示情報Ｄ／Ｂが変更される。
【００８９】
ステップＳ３５でイベント処理がされた後、ステップＳ３６において提示情報Ｄ／Ｂが検索され、ステップＳ３１で発生したイベントに対して提示する情報があるか否かが判断される。提示する情報がある場合にはステップＳ３７に進み、そうでない場合には処理を終了する。ここで、イベントの発生には、所定の時刻になったこと、ユーザ１１０が移動したこと、ユーザ１１０が物品の使用を開始したこと、ユーザ１１０が物品の使用を終了したこと、ユーザ１１０が情報端末１０３，１０６を用いて物品検索をしたことが含まれる。
【００９０】
ユーザ１１０が物品の使用を開始したことは、ユーザ１１０に付されたユーザ用タグ１１８と物品１０１〜１０７に付された物品タグ１１１〜１１７との間の通信が成立した時刻とされ、物品の使用を終了したことは、その通信が切断された時刻とされる。
【００９１】
ステップＳ３７では、提示情報を表示部１０１へ表示、または、情報端末１０３，１０６の表示部に表示またはスピーカ等の音声出力部より音声出力する。表示部１０１、情報端末１０３，１０６のいずれから出力するかは、ユーザ位置Ｄ／Ｂ１２３から現在のユーザ１１０の位置を検出し、最も近いものから出力するようにする。これにより、ユーザ１１０に情報を確実に提示することができる。
【００９２】
図７は、記憶部１２０に記憶される提示情報Ｄ／Ｂ１２５の一例を示す図である。図７を参照して、提示情報Ｄ／Ｂ１２５は、Ｎｏ．の項目と、イベントの項目と、提示情報の項目とを含む。Ｎｏ．の項目が「１」の提示情報データは、イベントの項目が「時刻××時○○分」となっている。これは、時刻が××時○○分になったときイベントが発生することを意味する。そして、提示情報の項目が「薬の時間です。」となっている。これは、所定の時間に薬の服用を促す情報を提示するようにしたものである。この提示情報は、図６のステップＳ３８〜Ｓ４０の処理により作成されるデータである。
【００９３】
Ｎｏ．の項目が「２」の提示情報データは、イベントの項目が「物品Ａの使用終了」となっており、提示情報の項目が「物品Ｂを使用しましたか？」となっている。これは、物品Ａの使用が終了した時点に「物品Ｂを使用しましたか？」のメッセージを出力することを意味する。これは、図６のステップＳ４４〜Ｓ４６の処理により記録されるデータであり、過去の使用履歴Ｄ／Ｂ１２１に記録された過去の使用履歴データで、物品Ａの使用後物品Ｂが使用されることが多いことに基づき作成されるデータである。
【００９４】
Ｎｏ．の項目が「３」の提示情報データは、イベントの項目が「物品Ｃの使用終了」となされ、提示情報の項目が「物品Ｃの置き場所を覚えてください。」とされている。これは、物品Ｃの使用終了後に、物品Ｃを置いた場所を記憶することを促すための提示情報であり、図６のステップＳ３２〜ステップＳ３４の処理で記憶されるデータである。
【００９５】
Ｎｏ．の項目が「４」の提示情報データは、イベントの項目が「時刻△△時○○分に場所Ａへ移動」とされ、提示情報として「物品Ｄを持ちましたか？」とされている。これは、過去の使用履歴Ｄ／Ｂ１２１に記憶された過去の使用履歴データで、ほぼ毎日同じ時刻に物品Ｄが使用され、かつ、その使用されるときのユーザ１１０の位置が場所Ａである場合にその物品の使用を促すための提示情報を出力するための提示情報データである。たとえば、散歩を日課としているような場合においては、場所が玄関で、物品Ｄが杖のような場合が該当する。このデータは、図６のステップＳ４１〜Ｓ４３の処理で記憶されるデータである。
【００９６】
このように、本実施の形態における家庭用サーバ１００では、ユーザ１１０の過去の物品の使用履歴に基づいて、これから使用者がするであろう行動を予測し、その行動が行なわれる時刻にその行動を促す情報を提示するようにしている。また、過去の使用履歴に基づき、ある物品の使用と関連がある物品の使用がある場合には、ある物品の使用がされた後に関連のある物品の使用を促す情報を提示するようにしている。このため、ある行動の後に続く行動を忘れてしまったような場合には、その行動を促す情報が提示されるので、関連する行動を忘れるようなことはない。
【００９７】
さらに、物品の場所を検索する情報が多い場合に、その物品の使用が終了した時点で、その物品の置き場所を覚えて下さい等のメッセージが出力される。このため、その物品の置き場所を意識的にユーザ１１０に覚えさせることができ、次にその物品を使用する場合にその物品の置き場所を覚えていることが多くなる。
【００９８】
さらに、物品がほぼ同じ時刻に使用されることに加えて、その物品が使用される場所が同じである場合には、イベントの発生条件を、時刻とユーザの位置とすることにより、より提示情報を提示するタイミングをより正確にすることができる。
以上説明した実施の形態に開示されている発明の構成を以下に列挙する。
（１） ユーザと物品との相対的な位置関係を検出する相対位置検出手段と、前記検出された相対位置を用いてユーザの行動を推定する行動推定手段と、前記推定されたユーザの行動を行動履歴として記憶する行動履歴記憶手段と、前記記憶された行動履歴に基づいて、提示情報と提示するタイミングとを決定する提示情報決定手段とを備えた、情報提示装置。
（２） ユーザの位置を検出する位置検出手段をさらに備え、前記行動推定手段は、前記検出されたユーザの位置をさらに用いてユーザの行動を推定する、（１）に記載の情報提示装置。
（３） 前記提示情報決定手段は、異なる日で同じ時間の行動が共通する行動履歴を抽出する抽出手段と、前記抽出された行動履歴の行動を促す情報を提示情報として決定する提示情報決定手段と、前記抽出された行動履歴の開始時刻を提示タイミングとして決定する提示タイミング決定手段とを含む、（１）または（２）に記載の情報提示装置。
（４） 前記提示情報決定手段は、行動が共通する行動履歴の中から直前の行動が共通する行動履歴を抽出する抽出手段と、前記抽出された行動履歴の行動を促す情報を提示情報として決定する提示情報決定手段と、前記直前の行動履歴と同じ行動が終了した時点を提示タイミングとして決定する提示タイミング決定手段とを含む、（１）または（２）に記載の情報提示装置。
（５） 物品名の入力を受付ける受付手段と、前記入力された物品名の物品の位置を検出する位置検出手段と、物品名の入力が受付けられた度数を物品名ごとに記憶する記憶手段と、ユーザと物品との相対的な位置関係を検出する相対位置検出手段と、前記検出された相対位置を用いてユーザの行動を推定する行動推定手段と、前記行動推定手段により推定された行動が、前記度数が所定の値を超える物品の使用とされた場合、所定の情報を出力する出力手段とを備えた、情報提示装置。
（６） ユーザと物品との相対的な位置関係を検出するステップと、前記検出された相対位置を用いてユーザの行動を推定するステップと、前記推定されたユーザの行動を行動履歴として記憶するステップと、前記記憶された行動履歴に基づいて、提示情報と提示するタイミングとを決定するステップとを含む、情報提示方法。
（７） ユーザと物品との相対的な位置関係を検出するステップと、前記検出された相対位置を用いてユーザの行動を推定するステップと、前記推定されたユーザの行動を行動履歴として記憶するステップと、前記記憶された行動履歴に基づいて、提示情報と提示するタイミングとを決定するステップとをコンピュータに実行させる情報提示プログラム。
（８） （７）に記載の情報提示プログラムを記録したコンピュータ読取可能な記録媒体。
上記の発明は、情報提示装置、情報提示方法、情報提示プログラムおよび情報提示プログラムを記録したコンピュータ読取可能な記録媒体に関し、特に、ユーザの行動に起因して生じる情報を提示する情報提示装置、情報提示方法、情報提示プログラムおよび情報提示プログラムを記録したコンピュータ読取可能な記録媒体に関する。
上記の発明の目的の１つは、ユーザに対して必要な情報を必要なタイミングで提示することが可能な情報提示装置を提供することである。
上記の発明の他の目的は、物品の置き場所を記憶するように注意を喚起することが可能な情報提示装置を提供することである。
上記の発明のさらに他の目的は、ユーザに対して必要な情報を必要なタイミングで提供することが可能な情報提示方法、情報提示プログラムおよび情報提示プログラムを記録したコンピュータ読取可能な記録媒体を提供することである。
上述の目的を達成するためにこの発明のある局面によれば、情報提示装置は、ユーザと物品との相対的な位置関係を検出する相対位置検出手段と、検出された相対位置を用いてユーザの行動を推定する行動推定手段と、推定されたユーザの行動を行動履歴として記憶する行動履歴記憶手段と、記憶された行動履歴に基づいて、提示情報と提示するタイミングとを決定する提示情報決定手段とを備える。
この発明に従えば、ユーザと物品との相対的な位置関係を用いてユーザの行動が推定され、推定されたユーザの行動が行動履歴として記憶される。そして、記憶された行動履歴に基づいて、提示情報と提示するタイミングとが決定される。このため、ユーザの過去の行動から予測される行動を促す情報を提示することができる。その結果、ユーザに対して必要な情報を必要なタイミングで提供することが可能な情報提示装置を提供することができる。
好ましくは、ユーザの位置を検出する位置検出手段をさらに備え、行動推定手段は、検出されたユーザの位置をさらに用いてユーザの行動を推定する。
この発明に従えば、検出されたユーザの位置をさらに用いてユーザの行動が推定されるので、行動を正確に推定することができる。
好ましくは、提示情報決定手段は、異なる日で同じ時間の行動が共通する行動履歴を抽出する抽出手段と、抽出された行動履歴の行動を促す情報を提示情報として決定する提示情報決定手段と、抽出された行動履歴の開始時刻を提示タイミングとして決定する提示タイミング決定手段とを含む。
この発明に従えば、異なる日で同じ時間の行動が共通する行動履歴が抽出され、抽出された行動履歴の行動を促す情報が提示情報として決定され、抽出された行動履歴の開始時刻が提示タイミングとして決定される。このため、過去の行動履歴に基づいて提示する情報とタイミングとを正確に決定することができる。
好ましくは、提示情報決定手段は、行動が共通する行動履歴の中から直前の行動が共通する行動履歴を抽出する抽出手段と、抽出された行動履歴の行動を促す情報を提示情報として決定する提示情報決定手段と、直前の行動履歴と同じ行動が終了した時点を提示タイミングとして決定する提示タイミング決定手段とを含む。
この発明に従えば、直前の行動履歴の行動が共通する行動履歴が抽出され、抽出された行動履歴の行動を促す情報が提示情報として決定され、直前の行動履歴と同じ行動が終了した時点が提示タイミングとして決定される。このため、関連する行動の実行に応じて、次に行なうべき行動が促されるので、関連する行動をし忘れるのを防止させることができる。
この発明の他の局面によれば、情報提示装置は、物品名の入力を受付ける受付手段と、入力された物品名の物品の位置を検出する位置検出手段と、物品名の入力が受付けられた度数を物品名ごとに記憶する記憶手段と、ユーザと物品との相対的な位置関係を検出する相対位置検出手段と、検出された相対位置を用いてユーザの行動を推定する行動推定手段と、行動推定手段により推定された行動が、度数が所定の値を超える物品の使用とされた場合、所定の情報を出力する出力手段とを備える。
この発明に従えば、入力された物品名の物品の位置が検出され、物品名の入力が受付けられ度数が物品名ごとに記憶される。ユーザと物品との相対的な位置関係が検出され、検出された相対位置を用いてユーザの行動が推定され、推定された行動が、度数が所定の値を超える物品の使用とされた場合、所定の情報が出力される。このため、入力された物品名に対応する物品の位置が検出されるので、物品の位置を検索することができる。さらに、物品名の入力が受付けられた度数が所定の回数を超える物品を使用すると、所定の情報が出力されるので、位置検索の回数の多い物品が使用されることに、その物品の置き場所を記憶する。このため、置き場所を忘れないように注意を喚起することが可能な情報提示装置を提供することができる。
この発明のさらに他の局面によれば、情報提示方法は、ユーザと物品との相対的な位置関係を検出するステップと、検出された相対位置を用いてユーザの行動を推定するステップと、推定されたユーザの行動を行動履歴として記憶するステップと、記憶された行動履歴に基づいて、提示情報と提示するタイミングとを決定するステップとを含む。
この発明に従えば、ユーザと物品との相対的な位置を用いてユーザの行動が推定され、推定されたユーザの行動が行動履歴として記憶される。そして、記憶された行動履歴に基づいて、提示情報と提示するタイミングとが決定される。このため、ユーザの過去の行動から予測される行動を促す情報を提示することができる。その結果、ユーザに対して必要な情報を必要なタイミングで提供することが可能な情報提示方法を提供することができる。
この発明のさらに他の局面によれば、情報提示プログラムは、ユーザと物品との相対的な位置関係を検出するステップと、検出された相対位置を用いてユーザの行動を推定するステップと、推定されたユーザの行動を行動履歴として記憶するステップと、記憶された行動履歴に基づいて、提示情報と提示するタイミングとを決定するステップとをコンピュータに実行させる。
この発明に従えば、ユーザと物品との相対的な位置を用いてユーザの行動が推定され、推定されたユーザの行動が行動履歴として記憶される。そして、記憶された行動履歴に基づいて、提示情報と提示するタイミングとが決定される。このため、ユーザの過去の行動から予測される行動を促す情報を提示することができる。その結果、ユーザに対して必要な情報を必要なタイミングで提供することが可能な情報提示プログラムおよび情報提示プログラムを記録したコンピュータ読取可能な記録媒体を提供することができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態の１つにおける情報提示システムの概略を示す図である。
【図２】  本実施の形態における情報提示装置として家庭用サーバの記憶部に記憶されるデータベースを説明するための図である。
【図３】  本実施の形態における家庭用サーバの機能の概略を示す機能ブロック図である。
【図４】  本実施の形態における家庭用サーバで実行される使用履歴および移動履歴作成処理の流れを示すフローチャートである。
【図５】  本実施の形態における家庭用サーバで実行される移動履歴修正処理の流れを示すフローチャートである。
【図６】  本実施の形態における家庭用サーバで実行される情報提示処理の流れを示すフローチャートである。
【図７】  記憶部に記憶される提示情報Ｄ／Ｂの一例を示す図である。
【符号の説明】
１００  家庭用サーバ、１０１  表示部、１０２，１０４  ドア、１０３，１０６  情報端末、１０５  薬ビン、１０７  眼鏡、１０８，１０９  通信機、１１１，１１２，１１４，１１５，１１７  物品タグ、１１８  ユーザ用タグ、１２０  記憶部、１２１  使用履歴Ｄ／Ｂ、１２２  検索履歴Ｄ／Ｂ、１２３  ユーザ位置Ｄ／Ｂ、１２４  物品位置Ｄ／Ｂ、１２５  提示情報Ｄ／Ｂ、１３０  制御部、１３１  相対位置検出部、１３２  行動推定部、１３３  ユーザ位置検出部、１３４  物品位置検出部、１３５  タイマー、１３６  イベント検出部、１３７  提示情報出力部、１３８  提示情報作成部、１４０  通信部、１５０  記録媒体。
【図１】
0003967151.tif 000002
【図２】
0003967151.tif 000003
【図３】
0003967151.tif 000004
【図４】
0003967151.tif 000005
【図５】
0003967151.tif 000006
【図６】
0003967151.tif 000007
【図７】
0003967151.tif 000008